(57)【要約】【課題】身体の各部位にフィットするとともに身体のあらゆる動きにも対応し、身体内部にも磁気作用を与えることが可能で、極めて効果的な磁気治療効果を発揮することのできる磁気健康具を提供する。【解決手段】シャツ状の身体装具３の背部に、複数の収納部４を形成する。この収納部４に対し、合成樹脂材に磁性粉を混入して成形してなる可撓性を有するサマリウム・鉄・窒素系磁石からなる長径な磁石体２を着脱自在に配設して身体装具１を構成する。【選択図】      図１
2004208834.tif 000002
【特許請求の範囲】
【請求項１】
衣類、ベルト、サポーター、コルセット等の身体装具に、合成樹脂材に磁性粉を混入して成形してなる可撓性を有する磁石体を配設してなることを特徴とする磁気健康具。
【請求項２】
相対向する磁石体間の磁場が身体を通過すべく、両腕若しくは両脚に装着する身体装具のそれぞれの外側部位に、Ｎ極とＳ極が相対向するように磁石体を配設したことを特徴とする磁気健康具。
【請求項３】
磁石体は身体装具に着脱自在に配設してなることを特徴とする請求項１又は２記載の磁気健康具。
【請求項４】
身体装具には、磁石体を収納する収納部を１個所若しくは複数個所設けてなることを特徴とする請求項１又は２記載の磁気健康具。
【請求項５】
磁石体を収納する収納部を直線状または曲線状に形成したことを特徴とする請求項１又は２記載の磁気健康具。
【請求項６】
磁石体は、サマリウム・鉄・窒素系磁石などの希土類系磁石とすることを特徴とする請求項１又は２記載の磁気健康具。
【発明の詳細な説明】
【０００１】
【発明の属する技術分野】
本発明は、身体に装着する磁石を用いた磁気健康具に係り、特に身体の各部位にフィットするとともに身体のあらゆる動きにも対応し、かつ身体内部にも磁気作用を与えることが可能で極めて効果的な磁気治療効果を発揮することのできる磁気健康具に関する。
【０００２】
【従来の技術】
従来から、磁石の磁気が人体に与える血行促進などの効果が注目されており、身体に接着自在な絆創膏に１粒の焼結磁石を配置したり、シート上に複数の粒状の焼結磁石を配置したりしてこれを身体に装着することで、その近傍の血行を促進してコリをほぐす等の効果を発揮させる磁気健康具が存在している（例えば、特許文献１参照。）。
【０００３】
【特許文献１】
特開昭５６−６０５７１号公報
【０００４】
【発明が解決しようとする課題】
しかしながら、従来の絆創膏型の磁気健康具にあっては、磁石が小径であることから１粒の焼結磁石による血行促進の効果は狭い範囲に限られてしまい、広い身体部位に効果を及ぼしたい場合には数多くのこの種磁気健康具を貼らなければならない。
また、シート上に複数の焼結磁石を配置する磁気健康具にあっては、大きいほど身体の広い範囲に血行促進効果を及ぼすことができるものの、大きくなるにつれ装着し得る身体部位が限られてしまい、例えば腰用とか肩用とかの特定部位専用となってしまい、身体のどこの部位にも使用できるという汎用性が失われるとともに、微妙な曲面状の人体部位にフィットすることは困難である。
さらに、絆創膏型の磁気健康具にあっては、絆創膏の粘着作用が失われると廃棄するしかなく、その磁石体を再利用することが難しく、またシート（若しくは衣類）上に焼結磁石を配置する磁気健康具にあっては、汚れたからといって磁石体が装着されたままでは洗濯することが極めて困難であるという問題があった。
さらには従来のこの種磁気健康具は、身体の表面個所一方向より身体表層部の一部に対し磁気作用を及ぼし血行促進効果等の磁気治療効果を発揮せんとするものであり、身体における脚部、腕部、胴体部等の身体内部に対しても磁気を通過せしめより一層効果的な磁気治療効果を発揮せんとする磁気健康具は皆無であった。
【０００５】
そこで、本発明にあっては、身体の各部位にフィットして好適な血行促進効果、新陳代謝効果等を及ぼすことができとともに、磁石体を半永久的に使用することができ、かつ磁石体を配設する衣類等の身回品を容易に洗濯することもでき、さらには従来不可能であった身体内部に対しても磁気作用を与えることが可能で極めて効果的な磁気治療効果を発揮することのできる磁気健康具を提供することを目的とする。
【０００６】
【課題を解決するための手段】
前述の目的を達成するため、本発明の磁気健康具は、衣類やコルセット等の装具からなる身体装具に、合成樹脂材に磁性粉を混入して成形してなる可撓性を有する磁石体を配設してなることを特徴とするものである。
【０００７】
または、対向する磁石体間の磁場が身体を通過すべく、両腕若しくは両脚に装着する身体装具のそれぞれの外側部位に、Ｎ極とＳ極が相対向するように磁石体を配設したことを特徴とするものである。
【０００８】
また、磁石体は身体装具に着脱自在に配設してなることを特徴とするものである。
【０００９】
また、身体装具には、磁石体を収納する収納部を１個所若しくは複数個所設けてなることを特徴とするものである。
【００１０】
また、磁石体を収納する収納部を直線状または曲線状に形成したことを特徴とするものである。
【００１１】
また、磁石体は、サマリウム・鉄・窒素系磁石などの希土類系磁石とすることを特徴とするものである。
【００１２】
【発明の実施の形態】
図１及び図２は、本発明の磁気健康具の第１の実施例を示し、磁気健康具１は、バインダーとして作用する熱可塑性樹脂に磁性粉を混入して成形しこれを帯状にした可撓性を有する磁石体２を、シャツのごとき形態で、例えばその背部に磁石体２を収納し得る幅径の収納部４を複数（本実施例では４個所）形成した身体装具３とから構成される。
【００１３】
磁石体２に使用する磁性粉としては、還元拡散法によって得られるＳｍ−Ｆｅ系合金粗粉を窒化処理し、微粉砕して得られるサマリウム・鉄・窒素系の磁性粉、還元拡散法によって得られるＳｍ−Ｃｏ系合金粗粉、液体急冷法によって得られるネオジウム−鉄−ボロン系磁性粉、ＨＤＤＲ（Ｈｙｄｒｏｇｅｎａｔｉｏｎ−Ｄｉｓｐｒｏｐｏｒｔｉｏｎａｔｉｏｎ−Ｄｅｓｏｒｐｔｉｏｎ−Ｒｅｃｏｍｂｉｎａｔｉｏｎ）法によって得られる異方性ネオジウム−鉄−ボロン系磁性粉、そしてバリウム−フェライト（ＢａＯ・６Ｆｅ２Ｏ３）やストロンチウム−フェライト（ＳｒＯ・６Ｆｅ２Ｏ３）などのフェライト磁石などであり、これらを単独、若しくは組み合わせて用いることとする。これら磁性粉末の粒径が１００μｍ以下の物を５０重量％以上含む組成物を用いると磁気特性が向上し、また等方性の磁性粉よりも磁場中成形する異方性の磁性粉の方が、配向特性の面で磁気特性がより一層向上するものである。
【００１４】
本発明にあっては、約５００℃の窒素ガス中にサマリウムと鉄との合金を置いて鉄の結晶格子に窒素を侵入させる等の方法で、鉄の原子間の距離を大きくして飽和磁化を高めたサマリウム・鉄・窒素系の希土類の含む永久磁石用素材であって、粉末状でかつ磁気異方性粒子となっている磁性粉を用いる。そして、この磁気異方性磁性粉をバインダーとして作用する熱可塑性樹脂に混入し、混練した組成物を押し出し成形機に投入して成形する。
【００１５】
前記身体装具３は、特にその材質は問わないが、収納部４を設けてそこに磁石体２を挿脱自在に収納保持することができる素材を用いることとし、ある程度の伸縮性を備えて身体にフィットする方が好ましい。収納部４は、上部に開口部を設けて磁石体２を挿脱自在とする構造であり、身体装具３に後からポケットとして止着して形成してもよいが、身体装具３を編んで作成する際に収納部４を二重にして空隙を設けて形成する方がより好ましい。そして、図２に示す帯状の可撓性を有する磁石体２を、使用者の血行促進させたい部位や刺激させたいツボに合致させるように、身体装具３の収納部４の適宜な個所に収納して、これを着ることにより磁気特性に優れた長径な磁石体２が身体部位にフィットして広い範囲への血行促進効果が得られるものである。
【００１６】
図３は、本発明の磁気健康具の第２の実施例を示し、この磁気健康具５は、腕、脚等に装着するサポーター状の身体装具６に曲線状の収納部７を形成し、この収納部７に前述同様の可撓性を有する磁石体２を自在に折曲して挿脱自在に収納するものである。収納部７を曲線状にすることで、直線状と比較してより長径な磁石体２を収納することができるので、磁石体２が身体に与える磁力の効果を増すことができる。また、可撓性を有する磁石体２による好適な変形適応性により、いかなる身体部位の複雑な位置にも磁石体２をフィットして対応させることができるものである。
【００１７】
図４〜図６は、本発明の磁気健康具の第３の実施例を示し、この磁気健康具８は両脚（若しくは両腕でもよい）に装着するサポーターの形態からなる左右１対の身体装具９，１０からなり、この左脚１１に装着する身体装具９の外側には縦長の磁石体２を、右脚１２に装着する身体装具１０の外側にも縦長の磁石体２を、それぞれＮ極とＳ極とが相対向するように配置している。また特に図示しないが、前述した第１の実施例と同様に、これら磁石体を身体装具に形成した収納部に対して挿脱自在とする構成としてもよい。
【００１８】
図４は、磁気健康具８を装着した左脚１１と右脚１２を平行にそろえた状態を示し、１３は身体装具９の磁石体２のＮ極と、身体装具１０の磁石体２のＳ極とによる使用者の身体に影響のある磁場の範囲を概念的に示している。この両脚が平行にそろった状態では、１対の相対向する磁石体２，２の磁場１３の影響を受ける身体の部位は、左脚１１と右脚１２の中央部分内部である。
【００１９】
図５は、同じく磁気健康具８を装着した左脚１１と右脚１２を示し、右脚１２が左脚１１よりも前に出た状態を示している。この状態では、１対の相対向する磁石体２，２の磁場１３の影響を受ける身体の部位は、左脚１１の後方部分内部と右脚１２の前方部分内部である。
【００２０】
図６は、同じく磁気健康具８を装着した左脚１１と右脚１２を示し、左脚１１が右脚１２よりも前に出た状態を示している。この状態では、１対の相対向する磁石体２，２の磁場１３の影響を受ける身体の部位は、左脚１１の前方部分内部と右脚１２の後方部分内部である。
【００２１】
すなわち、左右１対の身体装具９，１０からなる磁気健康具８を左脚１１と右脚１２に装着して歩くことで、左脚１１と右脚１２は、１対の相対向する磁石体２，２により前方部分、中央部分、後方部分と脚部内部に全体的に満遍なく磁場の影響を受け、好適な血行促進効果、新陳代謝効果が得られるものである。
【００２２】
また、この磁気健康具８を両腕に装着した場合には、両腕内部に対して満遍なく血行促進効果が得られるのみならず、身体の胴体部にも磁場の影響が及ぶことから、胴体部内部に対して満遍なく好適な血行促進効果、新陳代謝効果が得られる。
【００２３】
尚、上述した磁石体の形状としては、帯状以外にも円柱状、線状、断面楕円形状などの各種の形態のものを適宜用いることができるものである。また前述した各身体装具にあっては、収納部から磁石体２を取り出すことして容易に洗濯することができるので、常に清潔に保つことができる。
【００２４】
【発明の効果】
以上詳述の如く、本発明の磁気健康具によれば、衣類、ベルト、サポーター、コルセット等の身体装具に、合成樹脂材に磁性粉を混入して成形してなる可撓性を有する磁石体を配設することで、身体の各部位にフィットして好適な血行促進効果、新陳代謝効果を及ぼすことができとともに、磁石体を半永久的に使用することができるものである。
【００２５】
または、相対向する磁石体間の磁場が身体を通過すべく、両腕若しくは両脚に装着する身体装具のそれぞれの外側部位に、Ｎ極とＳ極が相対向するように磁石体を配設することで、１対の磁石体による磁場は身体表層部のみならず、磁石体間に位置する身体内部に及び、さらに両腕や両脚を動かすことにより磁石体の磁力は装着した両腕内部若しくは両脚内部の全体的に及び、満遍なく好適な血行促進効果、新陳代謝効果が得られるとともに、磁気健康具を両腕に装着した場合には、磁石体の磁力は身体の胴体部も通過することから、胴体部内部にも満遍なく好適な血行促進効果、新陳代謝効果が得られるものである。
【００２６】
また、磁石体は身体装具に着脱自在に配設することで、衣類等の身体装具から磁石体を取り出して容易に洗濯することができることから、磁気健康具を常に清潔に保つことができるものである。
【００２７】
また、身体装具には、磁石体を収納する収納部を１個所若しくは複数個所設けてなることで、血行促進効果を及ぼしたい部位に応じた個所の収納部に磁石体を配設して、所望する効果を享受することができる。
【００２８】
また、磁石体を収納する収納部を直線状または曲線状に形成することで、磁石体が微妙な曲面状の身体の各部位にフィットして効果的な磁気治療効果を発揮することができる。
【００２９】
また、磁石体を、サマリウム・鉄・窒素系磁石などの希土類系磁石とすることで、小径な磁石体や細長い磁石体であっても強力な磁気作用を身体の所望個所に対して広範囲に満遍なく及ぼすことができることから、磁石体を装着する身体装具を軽量化できることは勿論のこと、従来の磁石体に比較しより効果的な磁気治療効果を発揮することができる。
【図面の簡単な説明】
【図１】本発明の磁気健康具の第１の実施例を示す説明図である。
【図２】本発明の磁気健康具の磁石体を示す斜視図である。
【図３】本発明の磁気健康具の第２の実施例を示す説明図である。
【図４】本発明の磁気健康具の第３の実施例を示す説明図である。
【図５】本発明の磁気健康具の第３の実施例を示す説明図である。
【図６】本発明の磁気健康具の第３の実施例を示す説明図である。
【符号の説明】
１  磁気健康具
２  磁石体
３  身体装具
４  収納部
５  磁気健康具
６  身体装具
７  収納部
８  磁気健康具
９，１０  身体装具
１１  左脚
１２  右脚
１３  磁場
【図１】
2004208834.tif 000003
【図２】
2004208834.tif 000004
【図３】
2004208834.tif 000005
【図４】
2004208834.tif 000006
【図５】
2004208834.tif 000007
【図６】
2004208834.tif 000008